(57)【要約】      （修正有）【課題】あたかも人が指の先や親指の付け根などで患部を押しながら往復運動させて揉むような動作が行え、簡易な構造で製造が容易なハンディー型のマッサージ器を提供する。【解決手段】筐体１と、該筐体内に収められた電動モータと、前記筐体に設けられた開口部１１から一端部を筐体外に出すと共に他端部との間を回動中心として往復運動を行い得るように前記筐体内に回動自在に取り付けられた作動部２と、少なくとも前記開口部と前記作動部の一端部とを外側から覆う柔軟な膜状体１２とから成り、回転軸３０の回転運動を前記作動部の往復運動に変換するためのカム３１を前記回転軸と前記作動部の他端部との間に具備するようにした。作動部の一端部で身体接触部位を押すようにして使用すると、作動部の一端部の往復運動は膜状体を介して身体接触部位に揉む刺激を与える。【選択図】図１
0003170675.tif 000002
【実用新案登録請求の範囲】
【請求項１】
筐体と、該筐体内に収められた電動モータと、前記筐体に設けられた開口部から一端部を筐体外に出すと共に他端部との間を回動中心として往復運動を行い得るように前記筐体内に回動自在に取り付けられた作動部と、少なくとも前記開口部と前記作動部の一端部とを外側から覆う柔軟な膜状体とから成り、前記回転軸の回転運動を前記作動部の往復運動に変換するためのカムを前記回転軸と前記作動部の他端部との間に備えている、身体接触部位を押し揉むマッサージ器。
【請求項２】
前記筐体は略Ｕ字形状を呈しており、前記開口部が前記Ｕ字の一側の端部の、前記Ｕ字の他側の端部と向き合う箇所、に設けられている請求項１に記載の身体接触部位を押し揉むマッサージ器。
【請求項３】
前記筐体は、前記Ｕ字の両端部を常に近付く方向に付勢するためのバネを備えている、請求項２に記載の身体接触部位を押し揉むマッサージ器。
【請求項４】
前記作動部の一端部に、弾性を有すると共に前記膜状体の面上を転がる回転体、を備えている請求項１または請求項２に記載の身体接触部位を押し揉むマッサージ器。
【請求項５】
前記回転体の前記膜状体に接する部位に凹凸部を有する、請求項４に記載の身体接触部位を押し揉むマッサージ器。
【考案の詳細な説明】
【技術分野】
【０００１】  この考案は簡単な構造で人の指による押し揉みのようなマッサージが可能なハンディー型のマッサージ器に関する。
【背景技術】
【０００２】  東洋医学で言う所の「あんま」や「指圧」は所謂マッサージのことであり、患部に対して手の指や手のひらで摩る、揉む、叩く、押すなどを行うことである。例えば特開２００９−０５０５７５の「手マッサージ器」は空気で患部を圧迫するためのものであり、特開２００９−１６５５７１の「電動器具」は指圧に係る器具であり、特開２０１０−１１５４５９は「足裏マッサージ器」に関するものである。
【先行技術文献】
【特許文献】
【０００３】
【特許文献１】特開２００９−０５０５７５号公報
【特許文献２】特開２００９−１６５５７１号公報
【特許文献３】特開２０１０−１１５４５９号公報
【考案の概要】
【考案が解決しようとする課題】
【０００４】  手の指や手のひらで摩る、揉む、叩く、押すことの内、揉む、叩く、押すは上掲の先行技術によって実現されている。この内、押すことに関して、あたかも人が指の先や親指の付け根などで患部を押しながら往復運動させて揉むような動作が行え、簡易な構造で製造が容易なハンディー型のマッサージ器と言うものはこれまでになかった。【０００５】  もしもこのようなマッサージ器であれば、皮膚にとって新感覚のマッサージを与えるものとなるに違いなく、しかも比較的安い値段で提供することが可能になる。そしてこのようなマッサージ器を従来のマッサージ器と併用することが出来ればなお良い。そこでこの考案の目的は上述したような新しいマッサージ器を提供することにある。
【課題を解決するための手段】
【０００６】  この考案の身体接触部位を押し揉むマッサージ器は筐体と、該筐体内に収められた電動モータと、前記筐体に設けられた開口部から一端部を筐体外に出すと共に他端部との間を回動中心として往復運動を行い得るように前記筐体内に回動自在に取り付けられた作動部と、少なくとも前記開口部と前記作動部の一端部とを外側から覆う柔軟な膜状体とから成り、前記回転軸の回転運動を前記作動部の往復運動に変換するためのカムを前記回転軸と前記作動部の他端部との間に備えている。なお前記電動モータは電源とスイッチとに接続されて電力の供給を受ける。【０００７】  電動モータの回転軸が回転すると、この回転運動は前記カムによって作動部の回動運動すなわち往復運動に変換される。作動部の一端部は筐体の開口部から外に出ており、ここで往復運動を行う。而してこの一端部の往復運動は膜状体を介し身体接触部位に揉む刺激を与える。また前記筐体を持つ手で肩や首筋などの身体接触部位を押す力を加減することが出来る。前記作動部の一端部と他端部との間を回動中心とするには、例えば前記作動部側に回動軸を設けてこれを前記筐体側に設けた軸受けで軸支するように構成すれば良い。前記膜状体にはシリコーンゴム膜がその伸縮具合や身体接触部位に対する弾力性の面からも好適である。なお膜状体を不透明にして開口部から覗く筐体を隠すようにしても良い。勿論膜状体で筐体の全体をカバーするようにすることでも、開口部と作動部の一端部とを外側から覆うことが可能である。【０００８】  次に前記筐体は略Ｕ字形状を呈しており、前記開口部が前記Ｕ字の一側の端部の、前記Ｕ字の他側の端部と向き合う箇所、に設けられているものとすることが出来る。この考案のマッサージ器は手に持って使用されるが、長い時間使用していると手が疲れることがある。そこで筐体の形状を略Ｕ字形状とすることで、首筋や肩や腕や脚を挟み付けるようにして使用することが出来るようになり、この結果手が自由になるのである。【０００９】  なお略Ｕ字形状の筐体に付いて、前記Ｕ字の両端部を常に近付く方向に付勢するためのバネを備えているものとしても良い。これには例えば、筐体を柔らかで屈曲自在な素材で形成して内部に略Ｕ字形状の板バネを備えるように構成すれば良い。或いは筐体を２つに分割して形成し、２つの筐体部分を回動軸にて回動自在に組み付け、この回動軸にコイルバネを取り付けて２つの筐体部分が常に近付く方向に付勢されるように構成すれば良い。またこの他の構成を自由に採用して良い。【００１０】  次に請求項１または請求項２のマッサージ器に於いて、前記作動部の一端部に、弾性を有すると共に前記膜状体の面上を転がる回転体、を備えているものとすることが出来る。作動部の一端部が身体接触部位に押し揉む作用を与える箇所になるが、ここに回転体を備えていると、回転体が膜状体を介して身体接触部位を転がるようにマッサージするようになり、膜状体に対しても身体接触部位に対しても押し揉む際の摩擦抵抗が少なくなる。【００１１】  なお前記回転体の前記膜状体に接する部位に凹凸部を有するものとしても良い。凹凸部が押し揉む感触にバリエーションを与えるものとなる。
【考案の効果】
【００１２】  この考案のマッサージ器は構造がシンプルであるから、製造が容易で安価に提供することが出来る。またあたかも人が指の先や親指の付け根などで患部を押しながら往復運動させて揉むような動作が行えて新感覚のマッサージを与えるものとなっている。
【図面の簡単な説明】
【００１３】
【図１】  実施例１の部分切欠側面図である。
【図２】  動作状態の説明図である。
【図３】  動作状態の説明図である。
【図４】  実施例２の部分切欠側面図である。
【図５】  実施例３の側面図である。
【考案を実施するための形態】
【実施例１】
【００１４】  図１乃至図３を用いてこの実施例の身体接触部位を押し揉むマッサージ器を説明する。合成樹脂製の筐体１は把手１０の内部に図２に示すような電動モータ３を備える。この電動モータ３は図示しない電池ボックスの乾電池と把手１０の背側に設けたスイッチ３３とに接続されている。電動モータ３の回転軸３０には偏心突起３２を有するカム３１が取り付けられている。また筐体１の内部には、一端部と他端部とで略Ｌ字形状を呈する作動部２が、一端部と他端部との間に設けた回動軸２０によって筐体１内に回動自在に取り付けられている。この他端部には溝部２１が設けられており、この溝部２１に前記カム３１の偏心突起３２が嵌め合わされている（図２）。そして作動部２の一端部は筐体１の開口部１１から僅かに外部に突出するように設けられているが、この作動部２と開口部１１とを含む筐体１の、把手１０以外の部位はシリコーンゴム製の膜状体１２で覆われている。【００１５】  スイッチ３３をＯＮ状態にすると、電動モータ３の回転軸３０が回転して、カム３１が回転する。するとカム３１には偏心突起３２があり、この偏心突起３２は作動部２の他端部の溝部２１に嵌め合わされており、しかも作動部２は回動軸２０を以て回動自在に筐体１の内部に取り付けられているため、図３で示すように偏心突起３２の回転運動に伴って作動部２の他端部が往復運動をするようになる。すなわち電動モータ３の回転運動が作動部２の他端部の往復運動に変換されるのである。【００１６】  この作動部２の他端部によるＱ〜Ｑ’の往復運動（図３）は、作動部２の一端部の身体接触部位となる作用点Ｐ〜Ｐ’の往復運動運動（図２）として現れる。従って身体接触部位は膜状体１２を介して押し揉まれることになる。なおこの実施例では作動部２の一端部の往復運動は電動モータ３の回転軸３０の長手方向への往復運動となるが、回転軸３０の直交方向への往復運動に変換する構成も可能である。
【実施例２】
【００１７】  図４でこの実施例の身体接触部位を押し揉むマッサージ器を説明する。筐体４と挟持部４３とが略Ｕ字形状のブリッジ４０で接続されている。このブリッジ４０の内部には略Ｕ字形状の板バネが納められており、常には筐体４と挟持部４３とが近づく方向に付勢している。なお挟持部４３はシリコーンゴム製に成るものである。【００１８】  筐体４の内部構成であるが、図示しない電動モータの回転軸６０には偏心突起６２を有するカム６１が取り付けられており、筐体４の内部には、一端部と他端部とで略Ｌ字形状を呈する作動部５が、一端部と他端部との間に設けた回動軸５０によって筐体４内に回動自在に取り付けられており、この他端部には溝部５１が設けられており、この溝部５１に前記カム６１の偏心突起６２が嵌め合わされており、作動部５の一端部は筐体４の開口部４１から僅かに外部に突出するように設けられているが、この作動部５と開口部４１とを含む筐体４の部位がシリコーンゴム製の膜状体４２で覆われている。なお前記開口部４１は筐体４の、前記挟持部４３に面した側に設けられていると共に、作動部５の一端部には回動軸５２が設けられており、この回動軸５２にゴム製の回転体であるコロ５３が回動自在に取り付けられている。なおコロ５３の表面には多数の突起が形成されている。【００１９】  従って電動モータの回転運動が作動部５の一端部の往復運動に変換されるわけであり、この際にコロ５３はシリコーンゴム製の膜状体４２の裏面上を転がりつつ、膜状体４２を身体接触部位方向へ押し揉むように作用する。
【実施例３】
【００２０】  図５でこの実施例の身体接触部位を押し揉むマッサージ器を説明する。筐体７と挟持部７３とが、ブリッジ７０とブリッジ７４とを回動軸７５により回動自在、且つ回動軸７５に設けた図示しないコイルバネによって常には筐体７と挟持部７３とが近づく方向に付勢されるように、組み付けられている。またシリコーンゴム製の挟持部７３の内部には鎖線で示したような振動発生部８が納められている。なお筐体７の内部構成は上述した実施例２のそれに倣うものであり、筐体７の前記挟持部７３に向き合う箇所に開口部７１が設けられておりこの上を膜状体７２が覆っているが、ここに図示しない作動部の一端部が位置している。【００２１】  ブリッジ７０とブリッジ７４とがこれ等を回動自在に繋げる回動軸７５のコイルバネによって付勢されているため、この実施例のマッサージ器で腕を挟んだり首を挟んだりすることが出来る。この際に開口部７１の辺りが凝りの患部に当たるように調節する。このような用法は上述した実施例２と同様である。なお実施例３では挟持部７３の内部に振動発生部８を備えているため、挟んだ腕や首を振動によってもマッサージ効果を加えることが出来る。なおこの振動発生部８は電動モータの回転軸に偏心重錘を取り付けることで実現される。
【産業上の利用可能性】
【００２２】  この考案のマッサージ器の電源には一時電池の他にも二次電池を用いることが出来る。電動モータの回転に複数種のパターンが実行可能なコントロール回路を組み込むようにしても良い。この考案のマッサージ器は両肩用などとして２個１組で用いることが出来る。また医師が用いるものとして提供することが可能である。
【符号の説明】
【００２３】１筐体
１０把手
１１開口部
１２膜状体
２作動部
２０回動軸
２１溝部
３電動モータ
３０回転軸
３１カム
３２偏心突起
３３スイッチ
４筐体
４０ブリッジ
４１開口部
４２膜状体
４３挟持部
５作動部
５０回動軸
５１溝部
５２回動軸
５３コロ
６０回転軸
６１カム
６２偏心突起
７筐体
７０ブリッジ
７１開口部
７２膜状体
７３挟持部
７４ブリッジ
７５回動軸
８振動発生部
【図１】
0003170675.tif 000003
【図２】
0003170675.tif 000004
【図３】
0003170675.tif 000005
【図４】
0003170675.tif 000006
【図５】
0003170675.tif 000007
【手続補正書】
【提出日】平成23年7月8日(2011.7.8)
【手続補正１】
【補正対象書類名】実用新案登録請求の範囲
【補正対象項目名】請求項１
【補正方法】変更
【補正の内容】
【請求項１】
筐体と、該筐体内に収められた電動モータと、前記筐体に設けられた開口部から一端部を筐体外に出すと共に他端部との間を回動中心として往復運動を行い得るように前記筐体内に回動自在に取り付けられた作動部と、少なくとも前記開口部と前記作動部の一端部とを外側から覆う柔軟な膜状体とから成り、前記電動モータの回転軸を前記作動部の他端部に対向させて設けると共に、前記回転軸の回転運動を前記作動部の往復運動に変換するためのカムを前記回転軸と前記作動部の他端部との間に設けて成る、身体接触部位を押し揉むマッサージ器。
【手続補正２】
【補正対象書類名】実用新案登録請求の範囲
【補正対象項目名】請求項３
【補正方法】変更
【補正の内容】
【請求項３】
前記筐体は、前記Ｕ字の両端部を常に近付く方向に付勢するためのバネを、前記Ｕ字の一側と他側との間に備えている、請求項２に記載の身体接触部位を押し揉むマッサージ器。